(57)【特許請求の範囲】
【請求項１】
電力供給用の電線ケーブル、通信ケーブル、上下水道管等を地中に設けた管路（８）内に敷設する電線共同溝に設けられた電線共同溝マンホール（２）であって、
前記マンホール（２）の入口に、開閉自在に閉塞するマンホール蓋本体（３）と、
前記マンホール蓋本体（３）に設けた、該マンホール蓋本体（３）を吊り上げる際にアイボルト（６３）を差し込むアイボルト用挿入穴（４）と、
前記マンホール蓋本体（３）の略中央の位置に開けた作業用開口（５）と、
前記作業用開口（５）に開閉自在に閉塞され、開ける際にアイボルト（６３）を差し込むアイボルト用挿入穴（４）を設けた作業用小蓋（６）と、
前記作業用開口（５）の下側の周縁に設けた、排水ホース（２３）又は点検用カメラ（２１）等の作業器具を固定する固定治具（１１）と、を備えた、ことを特徴とする作業用小蓋を備えた電線共同溝マンホール蓋。
【請求項２】
前記マンホール蓋本体（３）は、その表面にインターロッキング（７）を形成した、ことを特徴とする請求項1の作業用小蓋を備えた電線共同溝マンホール蓋。
【請求項３】
前記固定治具（１１）は、前記排水ホース（２３）又は点検用カメラ（２１）等の作業器具を固定するために、前記作業用開口（５）の下側周縁に、略Ｙ字形状になる挟持部材（１２）を摺動自在に取り付けたものである、ことを特徴とする請求項1の作業用小蓋を備えた電線共同溝マンホール蓋。
【請求項４】
前記固定治具（１１）に、マンホール（２）内に設置した水位センサの表示部を取り付けた、ことを特徴とする請求項1の作業用小蓋を備えた電線共同溝マンホール蓋。
【発明の詳細な説明】
【技術分野】
【０００１】
本発明は、電線共同溝の出入口となるマンホール蓋に係り、特にマンホール蓋に水中ポンプの排水ホース、点検用のカメラ等の作業用器具等を入れることができる作業用小蓋を備えた電線共同溝マンホール蓋に関する。
【０００２】
電線地中化区域に施設されている電線共同溝は、電力供給用の電力ケーブル、通信ケーブル又は上下水道管等を地中に設けた複数本の管路内に敷設したものである。また、従来の水路は地中へ電線共同溝とは別に排水管として埋設されている。このような電線共同溝には、その内部の点検管理、送電線等の接続に際し、作業者が入溝するためにマンホールを設けている。マンホール蓋には、図６の平面図に示すような鋳鉄製のマンホール蓋５１、又は図７の斜視図に示すようなコンクリート製のマンホール蓋６１などがある。
【０００３】
また、電線共同溝のマンホール内部には大量の雨水等が溜まりやすく、電力ケーブル及び通信ケーブルが冠水することがある。このマンホール内部へ水中ポンプが設置されていない場合は、定期的にマンホール蓋５１，６１を開け、排水ポンプを入れて排水する必要がある。
【０００４】
このマンホール蓋５１，６１は非常に重量があり、事故防止のためにも簡単に開閉ができないようになっている。そこで、マンホール蓋６１を開閉するときは、図８の拡大図と図９の斜視図に示すように、先ず、マンホール蓋６１の２箇所に設けた穴６２に、アイボルト６３というワイヤ用ボルトを取り付ける。次に、両アイボルト６３にワイヤ６４を掛け渡すように取り付ける。これをユニック車のクレーン等で、このワイヤ６４を吊り上げて、マンホール蓋６１を開ける。このような重量があるマンホール蓋６１を開閉する作業は非常に煩雑であり、時間のかかる作業であった。
【発明の開示】
【発明が解決しようとする課題】
【０００５】
従来のマンホールの点検、排水処理に際しては、必ずマンホール蓋６１を開閉しなければならない構造となっている。単に内部に水が溜まったときにも、ユニック車のクレーンでマンホール蓋６１を吊り上げて開閉する必要があり、大変時間と労力がかかるという問題を有していた。
【０００６】
このような重量があり、開閉する際に数人で作業しなければならないために、マンホール蓋を簡単に開閉する技術が提案されている。例えば、特許文献1の特開平７-２２９１６０号公報「点検窓付きマンホール蓋」に示すように、マンホール蓋本体に点検窓が設けられ、点検窓にはこれを閉塞する点検窓蓋が配置され、点検窓蓋はその周縁の一部が蝶番で開閉自在に前記マンホール蓋本俸に取り付けられ、前記点検窓蓋の他の部分はボルトでマンホール蓋本体に固定されている点検窓付きマンホール蓋が提案されている。この特許文献1の「点検窓付きマンホール蓋は、マンホール蓋本体に点検窓を設けているので、重いマンホール蓋本体を開けずに、この点検窓を通して点検を行うことができる。能率良く点検作業を行うことができる。また点検窓は開閉可能に点検窓蓋で閉塞しているので、点検時以外は該点検窓を閉塞しておくことができ、点検窓から異物等がマンホール内に入るのを防止することができるものである。
【特許文献１】特開平７-２２９１６０号公報
【０００７】
この特許文献1の「点検窓付きマンホール蓋」は、大きなマンホール蓋本体に鋳鉄製の点検窓蓋を開閉自在に取り付けており、その子蓋は親蓋に対してボルト固定する構造で、部品点数も多く、点検時に簡単に開閉できないという問題を有していた。
【０００８】
本発明は、かかる問題点を解決するために創案されたものである。すなわち、本発明の目的は、マンホール蓋に必要最小限の点検作業用の別の蓋を更に設けることで、大きく重量のあるマンホール蓋を開けることなく、マンホールの内部を容易に点検することができ、マンホールの内部に溜まった水を排水し、また内部にカメラを入れて内部の様子を簡単に点検管理することができる作業用小蓋を備えた電線共同溝マンホール董を提供することにある。
【課題を解決するための手段】
【０００９】
本発明は、電力供給用の電線ケーブル、通信ケーブル、上下水道管等を地中に設けた管路（８）内に敷設する電線共同溝に設けられた電線共同溝マンホール（２）であって、前記マンホール（２）の入口に、開閉自在に閉塞するマンホール蓋本体（３）と、前記マンホール蓋本体（３）に設けた、該マンホール蓋本体（３）を吊り上げる際にアイボルト（６３）を差し込むアイボルト用挿入穴（４）と、前記マンホール蓋本体（３）の略中央の位置に開けた作業用開口（５）と、前記作業用開口（５）に開閉自在に閉塞され、開ける際にアイボルト（６３）を差し込むアイボルト用挿入穴（４）を設けた作業用小蓋（６）と、前記作業用開口（５）の下側周縁に設けた、排水ホース（２３）又は点検用カメラ（２１）等の作業器具を固定する固定治具（１１）と、を備えた、ことを特徴とする。
【００１０】
前記マンホール蓋本体（３）は、その表面にインターロッキング（７）を形成することができる。
例えば、前記固定治具（１１）は、前記排水ホース（２３）又は点検用カメラ（２１）等の作業器具を固定するために、前記作業用開口（５）の下側周縁に、略Ｙ字形状になる挟持部材（１２）を摺動自在に取り付けたものである。
前記固定治具（１１）に、マンホール（２）内に設置した水位センサの表示部を取り付けることができる。
【発明の効果】
【００１１】
上記構成の発明では、マンホール蓋本体（３）に作業用開口（５）を開けたので、点検、排水の作業に際して、重量のあるマンホール蓋本体（３）を開ける必要がない。そこで、従来のようにユニック車を出動させることなく、１名の作業者が作業用小蓋（６）を開けて点検、排水作業を迅速に実施することができる。マンホール（２）の内部点検では、点検用カメラ（２１）を作業用小蓋（６）から差し込み、観察することができる。また、雨水等を排水するときは、作業用開口（５）からポンプの排水ホース（２３）のみを差し込むだけで簡単に処理することができる。マンホール内部に溜った水の定期的な排水作業を容易に実施でき、その作業の効率化を図ることができる。
【００１２】
しかも、この点検用カメラ（２１）又は排水ホース（２３）等の作業器具を固定する固定治具（１１）を、作業用開口（５）の下側の周縁に設けたので、マンホール蓋（１）の上で作業者は他の作業も同時に実施することができる。
【発明を実施するための最良の形態】
【００１３】
本発明の作業用小蓋を備えた電線共同溝マンホール蓋は、マンホール蓋本体の略中央の位置に作業用開口を開け、この作業用開口に作業用小蓋を開閉自在に閉塞し、点検、排水の作業に際して、１名の作業者でもこの作業用小蓋を開けられるようになっている。
【実施例１】
【００１４】
以下、本発明の好ましい実施の形態を図面を参照して説明する。
図１は実施例１の作業用小蓋を備えた電線共同溝マンホール蓋の斜視図である。図２は電線共同溝マンホール内の断面図である。
実施例１の作業用小蓋を備えた電線共同溝マンホール蓋１は、マンホール２の入口に開閉自在に閉塞するマンホール蓋本体３と、このマンホール蓋本体３に設けたアイボルト用挿入穴４と、このマンホール蓋本体３の略中央の位置に開けた作業用開口５と、この作業用開口５に開閉自在に閉塞され、これを開ける際にアイボルト６３を差し込むアイボルト用挿入穴４を設けた作業用小蓋６とを備えたものである。
【００１５】
このような構造のマンホール蓋１は、電線共同溝マンホール２の点検を行う際には、図９に示したように、マンホール蓋本体３のアイボルト用挿入穴４にアイボルト６３を差し込み、マンホール蓋本体３を吊り上げ、作業者は入溝口から入る。
このマンホール蓋本体３の表面には、インターロッキング７を形成し、歩道のインターロッキングとの調和を図るようになっている。
【００１６】
図２に示すように、各マンホール２は、電力供給用の電力ケーブル、通信ケーブル等を、地中に設けた管路８内に敷設する電線共同溝に設けられたものである。
【００１７】
本発明のマンホール蓋本体３の略中央の位置には、作業用開口５を開けてある。この作業用開口５に作業用小蓋６を開閉自在に閉塞する。この作業用小蓋６にもアイボルト用挿入穴４を設け、このアイボルト用挿入穴４にアイボルト６３を差し込み、機材を使用しなくても、１名の作業者で開けることができる。この作業用開口５からマンホール２内の点検を行う。
【００１８】
このように、重いマンホール蓋１を開けずに、即ち機材を使用することなく、この作業用開口５で内部の点検をすることができ、点検作業の効率を高めることができる。例えば、マンホール２の内部点検では、点検用カメラ２１を作業用小蓋６から差し込み、観察することができる。
【００１９】
図３は実施例１の作業用小蓋を備えた電線共同溝マンホール蓋を示すものであり、（ａ）は断面図、（ｂ）は固定治具を取り出す前の作業用開口の拡大平面図、（ｃ）は固定治具を取り出した作業用開口の拡大平面図である。
実施例１のマンホール蓋１には、作業用開口５の下側の周縁に、排水ホース２３又は点検用カメラ２１等の作業器具を固定する固定治具１１を設けている。この固定治具１１は、作業器具等を固定するために、作業用開口５の下側周縁に、略Ｙ字形状になる挟持部材１２を設けたものである。
【００２０】
この固定治具１１は、マンホール蓋本体３の底面に取り付けたガイド枠１３に、挟持部材１２の直線部分１４を係合させたものである。また、挟持部材１２の直線部分１４の一端に鉤状になるストッパ１５が、ガイド枠１３に当たり、抜け止めになっている。そこで、この挟持部材１２は、マンホール蓋本体３の下面において、作業用開口５へ出没自在に摺動するように構成したもので、必要に応じ引き出して使用することができる。図３（ｂ）の固定治具を取り出す前の状態では、この固定治具１１が邪魔にならず、マンホール２内を目視で点検することができる。図３（ｃ）の固定治具１１を取り出した状態では、この固定治具１１に排水ホース２３又は点検用カメラ２１等の作業器具を固定して作業することができる。この固定治具１１の挟持部材１２の形状は、図示例の形状に限定されず、種々変更できる。
【００２１】
図４は固定治具に点検用カメラを固定した状態のマンホール蓋本体を示すものであり、（ａ）は断面図、（ｂ）は作業用開口の拡大平面図である。
図示するように、作業用開口５から作業用小蓋６のみを外し、固定治具１１の挟持部材１２を引き出す。この引き出した挟持部材１２に点検用カメラ２１を吊り下げているカメラ用ケーブル２２を固定する。図示例では、単純にカメラ用ケーブル２２を挟持部材１２に挟んだ状態を示しているが、この固定治具１１にプーリ（図示していない）を取り付け、これにカメラ用ケーブル２２を巻き付ける構造にすることも可能である。
【００２２】
図５は固定治具に排水ホースを固定した状態のマンホール蓋本体を示すものであり、（ａ）は断面図、（ｂ）は作業用開口の拡大平面図である。
電線共同溝マンホール２内部には、雨水のような大量の水が溜まりやすい。マンホール２内部の溜水により、電力ケーブル及び通信ケーブルが冠水しているときは、定期的な排水が必要である。そこで、図示するように、固定治具１１の挟持部材１２にポンプの排水ホース２３を固定して排水することができる。また、雨水等を排水するときは、作業用開口５から排水ホース２３を差し込むだけで簡単に処理することができる。マンホール２内部に溜った水の定期的な排水作業を容易に実施でき、その作業の効率化を図ることができる。
【００２３】
この固定治具１１には、マンホール２内に設置した水位センサの表示部（図示していない）を取り付けることができる。更に、マンホール２内の点検に必要な様々な器具を取り付けることができる。
【００２４】
なお、本発明の作業用小蓋を備えた電線共同溝マンホール蓋は、マンホール蓋１に必要最小限の点検作業用の作業用開口５を設けることで、大きく重量のあるマンホール蓋本体３を開けることなく、マンホール２の内部を容易に点検することができ、マンホール２の内部に溜まった水を排水し、また内部に点検用カメラ２１を入れて内部の様子を簡単に点検管理することができれば、上述した発明の実施の形態に限定されず、本発明の要旨を逸脱しない範囲で種々変更できることは勿論である。
【産業上の利用可能性】
【００２５】
本発明の作業用小蓋を備えた電線共同溝マンホール蓋は、電線共同溝以外のマンホールにも利用することができる。
【図面の簡単な説明】
【００２６】
【図１】実施例１の作業用小蓋を備えた電線共同溝マンホール蓋の斜視図である。
【図２】電線共同溝マンホール内の断面図である。
【図３】実施例１の作業用小蓋を備えた電線共同溝マンホール蓋を示すものであり、（ａ）は断面図、（ｂ）は固定治具を取り出す前の作業用開口の拡大平面図、（ｃ）は固定治具を取り出した作業用開口の拡大平面図である。
【図４】は固定治具に点検用カメラを固定した状態のマンホール蓋本体を示すものであり、（ａ）は断面図、（ｂ）は作業用開口の拡大平面図である。
【図５】固定治具に排水ホースを固定した状態のマンホール蓋本体を示すものであり、（ａ）は断面図、（ｂ）は作業用開口の拡大平面図である。
【図６】鋳鉄製のマンホール蓋を示す平面図である。
【図７】コンクリート製のマンホール蓋を示す斜視図である。
【図８】アイボルトとマンホール蓋の差込み穴を示す拡大斜視図である。
【図９】マンホール蓋をワイヤで吊り上げた状態を示す斜視図である。
【符号の説明】
【００２７】
１ マンホール蓋
２ マンホール
３ マンホール蓋本体
４ アイボルト用挿入穴
５ 作業用開口
６ 作業用小蓋
７ インターロッキング
８ 管路
１１ 固定治具
１２ 挟持部材
２１ 点検用カメラ
２３ 排水ホース
【図１】
0005036514.tif 000002
【図２】
0005036514.tif 000003
【図３】
0005036514.tif 000004
【図４】
0005036514.tif 000005
【図５】
0005036514.tif 000006
【図６】
0005036514.tif 000007
【図７】
0005036514.tif 000008
【図８】
0005036514.tif 000009
【図９】
0005036514.tif 000010